(57)【要約】【課題】簡易な構造でありながら、受取人が不在の場合でも安全かつ確実に宅配物を受け取ることができる宅配物受取箱を提供すること。【解決手段】宅配物受取箱１は、投入部屋３と収納部屋４とを備えた本体２を有する。投入部屋３の上面３０１には、宅配物８を投入するための投入口３１と投入口開閉扉３２とを備え、投入部屋３内には、宅配物８を収納部屋４に移動させるスロープ３３を備えている。収納部屋４内には、印鑑７を収納部屋４内において移動可能に、かつ、収納部屋４外へ持ち出し不能に保持する印鑑保持具４１を備え、収納部屋４の周囲には、収納部屋４内を外部から視認可能に設けられた確認窓４２と印鑑７を収納部屋４内において使用するために宅配物配達人の手を挿入することができるよう設けられた挿入口４３と宅配物８を取り出すための取出口４４と取出口開閉扉４５と南京錠４６とを備えている。【選択図】図２
2008154967.tif 000002
【特許請求の範囲】
【請求項１】
宅配物を投入する投入部屋と宅配物を収納する収納部屋とを互いに連通するよう備えた箱状の本体を有し、
上記投入部屋の上面には、宅配物を投入するために開口させた投入口と、該投入口を開閉するための投入口開閉扉とを備え、上記投入部屋内には、上記投入口から投入された宅配物を上記収納部屋に移動させる移動手段を備えており、
上記収納部屋内には、印鑑を上記収納部屋内において移動可能に、かつ、上記収納部屋外へ持ち出し不能に保持する印鑑保持具を備え、上記収納部屋の周囲には、少なくとも上記収納部屋内を外部から視認可能に設けられた確認窓と、上記印鑑保持具に保持された印鑑を上記収納部屋内において使用するために宅配物配達人の手を上記収納部屋内に挿入することができるよう設けられた挿入口と、上記収納部屋に収納された宅配物を取り出すために開口させた取出口と、該取出口を開閉するための取出口開閉扉と、該取出口開閉扉を閉じた状態で施錠するための取出口施錠手段とを備えていることを特徴とする宅配物受取箱。
【請求項２】
請求項１において、上記投入口開閉扉は、一端を回転軸として回転可能に設けられた投入口回転扉を１枚又は２枚有しており、該投入口回転扉は、上記投入部屋の内側方向にのみ開閉するよう構成されていることを特徴とする宅配物受取箱。
【請求項３】
請求項１又は２において、上記投入口開閉扉の上方には、これを覆うための上蓋を備えていることを特徴とする宅配物受取箱。
【請求項４】
請求項１〜３のいずれか１項において、上記移動手段は、上記投入部屋内の底面に設けられ、上記収納部屋に向けて下り傾斜を有するスロープであり、該スロープは、上記投入部屋に投入された宅配物がその自重により上記スロープ上を滑るようにして上記収納部屋に移動するよう構成されていることを特徴とする宅配物受取箱。
【請求項５】
請求項１〜４のいずれか１項において、上記確認窓は、透明板よりなることを特徴とする宅配物受取箱。
【請求項６】
請求項１〜５のいずれか１項において、上記収納部屋の周囲には、上記確認窓上を覆うための確認窓蓋を備えていることを特徴とする宅配物受取箱。
【請求項７】
請求項１〜６のいずれか１項において、上記挿入口には、これを閉塞するための閉塞部材が配設されており、該閉塞部材には、手を差し込むための切れ目を設けてあることを特徴とする宅配物受取箱。
【請求項８】
請求項１〜７のいずれか１項において、上記本体は、該本体内において上記投入部屋と上記収納部屋との間を仕切る仕切板を備えており、該仕切板は、上記投入部屋と上記収納部屋とを連通するよう設けられた連通口と、該連通口を開閉するための連通口開閉扉とを備えていることを特徴とする宅配物受取箱。
【請求項９】
請求項８において、上記連通口開閉扉は、一端を回転軸として回転可能に設けられた連通口回転扉を１枚又は２枚有しており、該連通口回転扉は、上記収納部屋側方向にのみ開閉するよう構成されていることを特徴とする宅配物受取箱。
【発明の詳細な説明】
【技術分野】
【０００１】
本発明は、受取人が不在の場合に宅配物を受け取るための宅配物受取箱に関する。
【背景技術】
【０００２】
従来、宅配物の配達人は、受取人が不在の場合には、受領書に受取印がもらえないために宅配物を再度配達したり、または近所の人に預かってもらったりしていた。一方、受取人も、不在時に宅配物を受け取ることができず、再度配達してもらうために配達人に指定日時の連絡をしたり、その指定日時に在宅していなければならなかったりしていた。そのため、双方共に非常に不便を感じていた。
【０００３】
上記の問題を解決すべく、受取人の不在時に宅配物を受け取ることができる様々な受取箱等が提案されている（特許文献１〜４参照）。
しかしながら、これらの従来技術は、宅配物や受取印を押すために備えた印鑑等の盗難防止が不充分であったり、非常に複雑な構造であったり、１回の配達にしか使用できなかったりする等の問題点がある。その他、電気的な装置等を設けるとコストが高くなるという問題点もある。
【０００４】
このようなことから、簡易な構造でありながら、受取人が不在の場合でも安全かつ確実に宅配物を受け取ることができる宅配物受取箱は、非常に有益なものと考えられる。
【０００５】
【特許文献１】特開平７−３２７８０９号公報
【特許文献２】特開平９−２６２１７２号公報
【特許文献３】特開平１０−１３７１０６号公報
【特許文献４】特開２００４−２３７０５４号公報
【発明の開示】
【発明が解決しようとする課題】
【０００６】
本発明は、かかる従来の問題点に鑑みてなされたもので、簡易な構造でありながら、受取人が不在の場合でも安全かつ確実に宅配物を受け取ることができる宅配物受取箱を提供しようとするものである。
【課題を解決するための手段】
【０００７】
本発明は、宅配物を投入する投入部屋と宅配物を収納する収納部屋とを互いに連通するよう備えた箱状の本体を有し、
上記投入部屋の上面には、宅配物を投入するために開口させた投入口と、該投入口を開閉するための投入口開閉扉とを備え、上記投入部屋内には、上記投入口から投入された宅配物を上記収納部屋に移動させる移動手段を備えており、
上記収納部屋内には、印鑑を上記収納部屋内において移動可能に、かつ、上記収納部屋外へ持ち出し不能に保持する印鑑保持具を備え、上記収納部屋の周囲には、少なくとも上記収納部内を外部から視認可能に設けられた確認窓と、上記印鑑保持具に保持された印鑑を上記収納部屋内において使用するために宅配物配達人の手を上記収納部屋内に挿入することができるよう設けられた挿入口と、上記収納部屋に収納された宅配物を取り出すために開口させた取出口と、該取出口を開閉するための取出口開閉扉と、該取出口開閉扉を閉じた状態で施錠するための取出口施錠手段とを備えていることを特徴とする宅配物受取箱にある（請求項１）。
【０００８】
本発明の宅配物受取箱は、宅配物を投入する上記投入部屋と収納する上記収納部屋とを別々に設けている。また、上記投入部屋の上面には、上記投入口と上記投入口開閉扉とを備えており、上記投入部屋内には、上記移動手段を備えている。そして、上記構成とすることにより、上記投入部屋の上記投入口から投入された宅配物を上記移動手段によって上記収納部屋に確実に移動させ、該収納部屋内に収納することができる。
そのため、上記投入部屋の上記投入口から手を挿入する等しても、投入した上記投入部屋とは別の上記収納部屋内に収納されている宅配物を持ち出すことが困難となる。これにより、宅配物を上記収納部屋内に安全に収納することができると共に、宅配物の盗難防止の効果を得ることができる。
【０００９】
また、上記宅配物受取箱において、上記収納部屋内には、上記印鑑保持具を備え、上記収納部屋の周囲には、上記確認窓と上記挿入口とを備えている。そして、上記構成とすることにより、宅配物が上記収納部屋内に収納された状態で、宅配物配達人が上記挿入口から手を差し込み、上記確認窓から上記収納部屋内を視認しながら上記印鑑保持具に保持された印鑑を用いて宅配物に付された受領書に押印し、その受領書を上記挿入口から取り出すことができる。
そのため、宅配物配達人は、宅配物を上記宅配物受取箱に安全に収納した上で、宅配物に付された受領書に受取印を押し、その受領書を持ち帰ることができる。これにより、宅配物配達人は、宅配物を安全かつ確実に配達することができる。
【００１０】
さらに、上記印鑑保持具は、印鑑を例えば上記挿入口等から上記収納部屋外へ持ち出すことができないよう保持しているため、他人に印鑑を持ち出されたり、悪用されたりするおそれがない。
また、上記挿入口は、あくまでも上記収納部屋内において印鑑を使用するために宅配物配達人が手を差し込むことができるよう構成されているため、他人に宅配物を持ち出されることを防止しながら、宅配物配達人の作業性を充分に確保することができる。
【００１１】
また、上記宅配物受取箱において、上記収納部屋内には、上記取出口と上記取出口開閉扉と上記取出口施錠手段とを備えている。そして、上記構成とすることにより、上記取出口を上記取出口施錠手段によって施錠し、上記収納部屋内に収納された宅配物を保管することができる。また、上記取出口施錠手段を開錠することによって、宅配物を上記受取口から受け取ることができる。
そのため、受取人は、不在時に宅配物を上記宅配物受取箱において安全に保管することができ、帰宅時に宅配物を確実に受け取ることができる。
【００１２】
このように、本発明によれば、簡易な構造でありながら、受取人が不在の場合でも安全かつ確実に宅配物を受け取ることができる宅配物受取箱を提供することができる。
【発明を実施するための最良の形態】
【００１３】
本発明においては、上記宅配物受取箱を構成する材料としては、木材、金属、樹脂等の種々の材料を用いることができる。
また、上記宅配物受取箱の形状は、上記の機能を果たすことができる範囲で様々な形状を採用することができる。例えば、上記投入部屋と上記収納部屋とは互いに連通していれば、これらを一体的に設けてもよいし、別々に設けてもよい。
また、上記宅配物受取箱の大きさは、宅配物の収容量等を考慮して自由に変更することができる。
【００１４】
また、上記投入部屋においては、上記投入口開閉扉は、一端を回転軸として回転可能に設けられた回転扉を１枚又は２枚有しており、該投入口回転扉は、上記投入部屋の内側方向にのみ開閉するよう構成されていることが好ましい（請求項２）。
すなわち、上記投入口回転扉は、上記投入部屋の外側方向に開閉しないよう構成されている。そのため、上記収納部屋に収納された宅配物を上記投入口から外部（上記投入部屋の外側方向）に持ち出すことがさらに困難となる。これにより、宅配物の盗難防止効果を向上させることができる。
【００１５】
また、この場合には、上記投入口開閉扉は、ヒンジ（蝶番）等を設けることにより回転可能に構成することができる。また、スプリング（ばね）のような弾性部材等の付勢手段を用いて、上記投入口開閉扉が常に閉位置に戻るよう付勢する構成を採用することが好ましい。
【００１６】
また、上記投入口開閉扉の上方には、これを覆うための上蓋を備えていることが好ましい（請求項３）。
この場合には、上記投入口開閉扉を露出させずに上記上蓋によって覆うことができるため、防犯性を高めることができる。
【００１７】
また、上記移動手段は、上記投入部屋内の底面に設けられ、上記収納部屋に向けて下り傾斜を有するスロープであり、該スロープは、上記投入部屋に投入された宅配物がその自重により上記スロープ上を滑るようにして上記収納部屋に移動するよう構成されていることが好ましい（請求項４）。
この場合には、上記投入部屋の上記投入口から投入された宅配物を上記スロープによって上記収納部屋に円滑に移動させることができる。
【００１８】
また、上記収納部屋においては、上記確認窓は、透明板よりなることが好ましい（請求項５）。
この場合には、上記確認窓から上記収納部屋内を容易に視認することができる。これにより、宅配物配達人の作業性を向上させることができる。
なお、上記透明板を構成する材料としては、ガラス、樹脂等の種々の透明性を有する材料を用いることができる。
【００１９】
また、上記確認窓としては、上記透明板以外にも金網等を用いることができる。また、上記収納部屋の周囲の一部分に無数の小さな穴を設けて上記収納部屋内を視認できるよう構成することもできる。
また、上記確認窓は、上記収納部屋の上面や側面等、上記収納部屋内を視認できる場所であれば、どのような場所に設けてもよい。最も好ましくは、上記確認窓は、上記収納部屋の上面側に設けるのがよい。これにより、宅配物配達人の作業性をさらに向上させることができる。
【００２０】
また、上記収納部屋の周囲には、上記確認窓上を覆うための確認窓蓋を備えていることが好ましい（請求項６）。
この場合には、上記確認窓を露出させずに上記確認窓蓋によって覆うことができるため、防犯性を高めることができる。
【００２１】
また、上記挿入口には、これを閉塞するための閉塞部材が配設されており、該閉塞部材には、手を差し込むための切れ目を設けてあることが好ましい（請求項７）。
この場合には、宅配物配達人の作業性を充分に確保しながら、上記挿入口から宅配物が持ち出されることをより一層防止することができる。これにより、宅配物の盗難防止効果をさらに向上させることができる。
なお、上記閉塞部材を構成する材料としては、ゴム等の弾性体を用いることができる。
【００２２】
また、上記取出口及び上記取出口開閉扉は、上記収納部屋の上面、側面、底面等の様々な場所に設けることができる。防犯性を考えると、上記宅配物受取箱を設置したときに外部から見えない位置に設けることが好ましい。
また、上記取出口施錠手段としては、シリンダ錠、ダイヤル錠、南京錠等やその他の種々の施錠手段を用いることができる。
【００２３】
また、上記本体は、該本体内において上記投入部屋と上記収納部屋との間を仕切る仕切板を備えており、該仕切板は、上記投入部屋と上記収納部屋とを連通するよう設けられた連通口と、該連通口を開閉するための連通口開閉扉とを備えていることが好ましい（請求項８）。
この場合には、上記投入部屋と上記収納部屋との間を上記仕切板によって仕切ることにより、上記収納部屋に収納された宅配物の盗難をさらに防止することができる。
【００２４】
また、上記連通口開閉扉は、一端を回転軸として回転可能に設けられた連通口回転扉を１枚又は２枚有しており、該連通口回転扉は、上記収納部屋側方向にのみ開閉するよう構成されていることが好ましい（請求項９）。
すなわち、上記連通口開閉扉は、上記投入部屋側方向に開閉しないよう構成されている。そのため、上記収納部屋内に収納された宅配物を上記連通口から上記投入部屋側に持ち出すことが困難となる。これにより、宅配物の盗難防止効果をより一層向上させることができる。
【００２５】
また、この場合には、上記連通口開閉扉は、上記投入口開閉扉と同様に、ヒンジ（蝶番）等を設けることにより回転可能に構成することができる。また、スプリング（ばね）のような弾性部材等の付勢手段を用いて、上記連通口開閉扉が常に閉位置に戻るよう付勢する構成を採用することが好ましい。
【実施例】
【００２６】
（実施例１）
本発明の実施例にかかる宅配物受取箱について、図１〜図７を用いて説明する。
本例の宅配物受取箱１は、図１、図２に示すごとく、宅配物を投入する投入部屋３と宅配物を収納する収納部屋４とを互いに連通するよう備えた直方体形状の本体２を有している。本体２の上面２０１には、その上面２０１を覆うように上蓋２１が設けられている。上蓋２１は、図示しないヒンジによって開閉できるよう構成されている。
なお、本例の宅配物受取箱１を構成する材料としては、鋼板を用いた。これ以外にも、アルミ板等の金属板や、木材、樹脂等の種々の材料を用いることができる。
【００２７】
また、図２に示すごとく、本体２の上面２０１の投入部屋３側には、宅配物を投入するために開口させた投入口３１と、投入口３１を開閉するための投入口開閉扉３２とを備えている。投入口開閉扉３２は、図示しないヒンジにより一端を回転軸として回転できるよう設けられた２枚の投入口回転扉３２１、３２２を有している。投入口回転扉３２１、３２２は、投入部屋３の内側方向にのみ開閉でき、外側方向に開閉できないよう構成されている。また、図示しないスプリング等の弾性部材により閉位置に付勢されている。
【００２８】
また、同図に示すごとく、投入部屋３内には、投入口３１から投入された宅配物を収納部屋に移動させる移動手段としてのスロープ３３を備えている。スロープ３３は、本体２の底面２００の投入部屋３側に設けられ、収納部屋４に向けて下り傾斜を有する。スロープ３３は、投入部屋３に投入された宅配物がその自重によりスロープ３３上を滑るようにして収納部屋４に移動するよう構成されている。
【００２９】
また、同図に示すごとく、収納部屋４内には、印鑑７を収納部屋４内において移動することができるように、かつ、収納部屋４外へ持ち出しできないように保持する印鑑保持具４１を備えている。印鑑保持具４１は、印鑑７を保持しておくための保持部４１１と、印鑑７を収納部屋４内において移動させるのに充分な長さの鎖部４１２とを有している。印鑑７は、鎖部４１２に繋がれており、通常は保持部４１１に保持されている。
【００３０】
また、同図に示すごとく、本体２の上面２０１の収納部屋４側には、収納部屋４内を外部から視認できるよう設けられた透明板よりなる確認窓４２を備えている。
なお、本例の透明板を構成する材料としては、透明性を有する合成樹脂よりなる透明プラスチックを用いた。これ以外にも、ガラス板等を用いることもできる。また、確認窓４２としては、金網等を用いることもできる。
【００３１】
また、同図に示すごとく、本体２の前面２０２には、印鑑保持具４１に保持された印鑑７を収納部屋４内において使用するために宅配物配達人の手を収納部屋４内に挿入することができるよう設けられた２つの挿入口４３を備えている。挿入口４３には、これを閉塞するためのゴム状の閉塞部材４３１が設けられており、閉塞部材４３１には、手を差し込むための切れ目４３２が入っている。
【００３２】
また、図１に示すごとく、本体２の裏面２０３には、収納部屋４に収納された宅配物を取り出すために開口させた取出口４４と、取出口４４を開閉するための取出口開閉扉４５と、取出口開閉扉４５を閉じた状態で施錠するための取出口施錠手段としての南京錠４６とを備えている。取出口開閉扉４５は、図示しないヒンジにより一端を回転軸として回転できるよう設けられている（後述の図８参照）。また、取出口開閉扉４５は、通常は南京錠４６によって施錠されている。
なお、本例の取出口施錠手段としては、南京錠を用いたが、これ以外にもシリンダ錠、ダイヤル錠、その他の種々の施錠手段を用いることができる。また、取出口４４、取出口開閉扉４５及び南京錠４６は、図１及び後述の図８以外において図示を省略した。
【００３３】
次に、宅配物受取箱１を利用した際の宅配物８の配達及び受け取りについて、図３〜図８を用いて説明する。
受取人の不在時において、宅配物配達人は、図３に示すごとく、宅配物受取箱１の上蓋２１を開き、受取人に配達すべき宅配物８を投入部屋３の投入口３１から投入する。投入された宅配物８は、図４に示すごとく、その自重によって下り傾斜のスロープ３３上を滑るようして収納部屋４に移動する。そして、図５に示すごとく、収納部屋４内に収納される。
【００３４】
次いで、宅配物配達人は、図６に示すごとく、宅配物８が収納部屋４内に収納された状態で、挿入口４３から手（図示略）を差し込み、確認窓４２から収納部屋４内を視認しながら印鑑保持具４１の保持部４１１から印鑑７を取り外す。そして、宅配物８に付された受領書８１に印鑑７を押印する。その後、図７に示すごとく、受領書８１を宅配物８から剥がし、挿入口４３から取り出す。
これにより、宅配物配達人は、宅配物８の配達を完了する。
【００３５】
一方、受取人は、図８に示すごとく、帰宅後に南京錠４６を開錠して取り外し、受取口開閉扉４５を開ける。そして、受取口４４から収納部屋４に収納されている宅配物８を取り出す。
これにより、受取人は、宅配物８の受け取りを完了する。
【００３６】
本例の宅配物受取箱１における作用効果について説明する。
本例の宅配物受取箱１は、宅配物８を投入する投入部屋３と収納する収納部屋４とを別々に設けた構成としている。そして、投入部屋３の投入口３１から投入された宅配物８をスロープ３３によって収納部屋４に確実に移動させ、収納部屋４内に収納することができるよう構成されている。
そのため、投入部屋３の投入口３１から手を挿入する等しても、投入した投入部屋３とは別の収納部屋４内に収納されている宅配物８を持ち出すことが困難となる。これにより、宅配物８を収納部屋４内に安全に収納することができると共に、宅配物８の盗難防止の効果を得ることができる。
【００３７】
また、宅配物受取箱１は、宅配物８が収納部屋４内に収納された状態で、宅配物配達人が挿入口４３から手を差し込み、確認窓４２から収納部屋４内を視認しながら印鑑保持具４１に保持された印鑑７を用いて宅配物８に付された受領書８１に押印し、その受領書８１を挿入口４３から取り出すことができるよう構成されている。
そのため、宅配物配達人は、受取人が不在の場合でも、宅配物８を宅配物受取箱１に安全に収納した上で、宅配物８に付された受領書８１に受取印を押し、その受領書８１を持ち帰ることができる。これにより、宅配物配達人は、宅配物８を安全かつ確実に配達することができる。
【００３８】
さらに、印鑑保持具４１は、印鑑７を挿入口４３等から収納部屋４外へ持ち出すことができないよう保持しているため、他人に印鑑７を持ち出されたり、悪用されたりするおそれがない。
また、挿入口４３は、あくまでも収納部屋４内において印鑑７を使用するために宅配物配達人が手を差し込むことができるよう構成されているため、他人に宅配物８を持ち出されることを防止しながら、宅配物配達人の作業性を充分に確保することができる。
【００３９】
また、宅配物受取箱１は、取出口４４を南京錠４６によって施錠し、収納部屋４内に収納された宅配物８を保管することができ、南京錠４６を開錠することによって、宅配物８を取出口４４から受け取ることができるよう構成されている。
そのため、受取人は、不在時に宅配物８を宅配物受取箱１において安全に保管することができ、帰宅時に宅配物８を確実に受け取ることができる。
【００４０】
また、本例では、投入口開閉扉３２及び確認窓４２の上方には、これらを覆うための上蓋２１を備えている。そのため、投入口開閉扉３２及び確認窓４２を露出させずに上蓋２１によって覆うことができ、防犯性を高めることができる。
【００４１】
また、投入口開閉扉３２は、一端を回転軸として回転可能に設けられた投入口回転扉３２１、３２２を有しており、投入口回転扉３２１、３２２は、投入部屋３の内側方向にのみ開閉するよう構成されている。すなわち、投入口回転扉３２１、３２２は、投入部屋３の外側方向に開閉しないよう構成されている。そのため、投入口３１から外部（投入部屋３の外側方向）に宅配物８を持ち出すことがさらに困難となる。これにより、宅配物８の盗難防止効果を向上させることができる。
【００４２】
また、投入部屋３の移動手段としては、本体２の底面２００の投入部屋３側に設けられ、収納部屋４に向けて下り傾斜を有するスロープ３３を用いており、スロープ３３は、投入部屋３に投入された宅配物８がその自重によりスロープ３３上を滑るようにして収納部屋４に移動するよう構成されている。そのため、投入部屋３の投入口３１から投入された宅配物８をスロープ３３によって収納部屋４に円滑に移動させることができる。
【００４３】
また、確認窓４２は、透明板よりなる。そのため、確認窓４２から収納部屋４内を容易に視認することができる。これにより、宅配物配達人の作業性を向上させることができる。本例では、収納部屋４の上面側に設けているため、より一層作業性を高めることができる。
【００４４】
また、挿入口４３には、これを閉塞するための閉塞部材４３１が配設されており、閉塞部材４３１には、手を差し込むための切れ目４３２を設けてある。そのため、宅配物配達人の作業性を充分に確保しながら、挿入口４３から宅配物８が持ち出されることをより一層防止することができる。これにより、宅配物８の盗難防止効果をさらに向上させることができる。
【００４５】
このように、本発明によれば、簡易な構造でありながら、受取人が不在の場合でも安全かつ確実に宅配物を受け取ることができる宅配物受取箱を提供することができる。
【００４６】
なお、本例においては、宅配物受取箱１の形状を直方体形状としたが、上記の機能を果たすことができる範囲で様々な形状を採用することができる。
また、宅配物受取箱１の大きさも、宅配物８の収納量等を考慮して自由に変更することができる。
【００４７】
また、確認窓４２は、本体２の上面２０１の収納部屋４側に設けたが、図９に示すごとく、本体２の前面２０２に設けることもできる。確認窓４２は、収納部屋４内を視認できる場所であれば、その他の様々な場所に変更することができる。
また、取出口４４は、本体２の裏面２０３の収納部屋４側に設けたが、収納部屋４から宅配物８を取り出せる場所であれば、その他の様々な場所に変更することができる。
【００４８】
（実施例２）
本例は、実施例１の宅配物受取箱１について、本体２の内部構成を変更した例である。
本例では、図１０に示すごとく、本体２は、本体２内において投入部屋３と収納部屋４との間を仕切る仕切板５を備えている。
【００４９】
同図に示すごとく、仕切板５は、投入部屋３と収納部屋４とを連通するよう設けられた連通口５１と、連通口５１を開閉するための連通口開閉扉５２とを備えている。連通口開閉扉５２は、図示しないヒンジにより一端を回転軸として回転可能に設けられた１枚の連通口回転扉５２１により構成されている。連通口回転扉５２１は、収納部屋４側方向にのみ開閉でき、投入部屋３側方向に開閉できないよう構成されている。また、図示しないスプリング等の弾性部材により閉位置に付勢されている。
その他は、実施例１と同様の構成である。
【００５０】
この場合には、投入部屋３と収納部屋４との間を仕切板５によって仕切ることにより、収納部屋４に収納された宅配物８の盗難をさらに防止することができる。また、連通口開閉扉５２１は、投入部屋３側方向に開閉しないよう構成されているため、収納部屋４内に収納された宅配物８を連通口５１から投入部屋３側に持ち出すことが困難となる。これにより、宅配物８の盗難防止効果をより一層向上させることができる。
その他は、実施例１と同様の作用効果を有する。
【図面の簡単な説明】
【００５１】
【図１】実施例１における、上蓋を閉じた状態の宅配物受取箱を示す説明図。
【図２】実施例１における、上蓋を開いた状態の宅配物受取箱を示す説明図。
【図３】実施例１における、宅配物が投入部屋に投入される様子を示す説明図。
【図４】実施例１における、宅配物が収納部屋に移動する様子を示す説明図。
【図５】実施例１における、宅配物が収納部屋に収納された状態を示す説明図。
【図６】実施例１における、宅配物の受領書に押印する様子を示す説明図。
【図７】実施例１における、宅配物の配達を完了した状態を示す説明図。
【図８】実施例１における、宅配物を収納部屋から取り出す様子を示す説明図。
【図９】実施例１における、確認窓を本体の前面に設けた例を示す説明図。
【図１０】実施例２における、本体の内部に仕切板を設けた例を示す説明図。
【符号の説明】
【００５２】
１  宅配物受取箱
２  本体
３  投入部屋
３１  投入口
３２  投入口開閉扉
３３  スロープ
４  収納部屋
４１  印鑑保持具
４２  確認窓
４３  挿入口
４４  取出口
４５  取出口開閉扉
４６  南京錠
７  印鑑
８  宅配物
【図１】
2008154967.tif 000003
【図２】
2008154967.tif 000004
【図３】
2008154967.tif 000005
【図４】
2008154967.tif 000006
【図５】
2008154967.tif 000007
【図６】
2008154967.tif 000008
【図７】
2008154967.tif 000009
【図８】
2008154967.tif 000010
【図９】
2008154967.tif 000011
【図１０】
2008154967.tif 000012